(57)【要約】【課題】使用寿命が長く、振動吸収構造の製造手間を大幅に省くことができるとともに、直接フェース板に振動吸収構造が組み立てられてもフェース板全体の耐衝撃強度を損なうことはないゴルフクラブヘッドを提供することを目的とする。【解決手段】ヘッド本体の打球する側のフェース部が開口してフェース板により被覆されてなる中空構造のゴルフクラブヘッドにおいて、前記フェース板は、打球側のフロントフェースと該フロントフェースの背面であるリアフェースとを有し、前記リアフェースには、前記フロントフェース側に向かって肉厚が薄くなって窪んだ複数の凹穴が設けられ、すなわち、前記複数の凹穴は、前記リアフェースのセンター突起と該センター突起から所定の間隔をおいた環状リブと該センター突起からの放射状リブとにより仕切られてなり、また、前記各凹穴に打球の衝撃を緩衝するための振動吸収材が満たされていることを特徴とするゴルフクラブヘッドを提供する。【選択図】図１
0003126137.tif 000002
【実用新案登録請求の範囲】
【請求項１】
ヘッド本体の打球する側のフェース部が開口してフェース板により被覆されてなる中空構造のクラブヘッドにおいて、
前記フェース板は、打球側のフロントフェースと該フロントフェースの背面であるリアフェースとを有し、
前記リアフェースには、前記フロントフェース側に向かって肉厚が薄くなって窪んだ複数の凹穴が設けられ、すなわち、前記複数の凹穴は、前記リアフェースのセンター突起と該センター突起から所定の間隔をおいた環状リブと該センター突起からの放射状リブとにより仕切られてなり、
また、前記各凹穴に打球の衝撃を緩衝するための振動吸収材が満たされていることを特徴とするゴルフクラブヘッド。
【請求項２】
前記リアフェースの環状リブとしての仕切りリブは、前記フェース部におけるスイートスポットになる部位に対応して設けられていることを特徴とする請求項１に記載のゴルフクラブヘッド。
【請求項３】
前記リアフェースの放射状リブは、互いに直角に交わった一対のリブ状を有する仕切りリブとして形成されていることを特徴とする請求項１に記載のゴルフクラブヘッド。
【請求項４】
前記リアフェースの放射状リブは、互いに直角及び斜めに交わった放射状をなす複数の仕切りリブとして形成されていることを特徴とする請求項１に記載のゴルフクラブヘッド。
【請求項５】
前記複数の凹穴は、前記センター突起と前記環状リブと前記放射状リブと、更に前記リアフェースの周縁に沿って延伸した周縁リムとにより仕切られてなり、
また、前記放射状リブの各仕切りリブは、両端がそれぞれ前記周縁リムに連なるように形成されていることを特徴とする請求項４に記載のゴルフクラブヘッド。
【請求項６】
ヘッド本体の打球する側のフェース部が開口してフェース板により被覆されてなる中空構造のクラブヘッドにおいて、
前記フェース板は、打球側のフロントプレートと中空部側のリアフレームとにより重ね合せて一体になっており、
前記リアフレームには、前記フロントプレート側に向かって肉厚が薄くなって窪んだ複数の凹穴が貫通して設けられてなり、すなわち、前記複数の凹穴は、前記リアフレームのセンター突起と該センター突起から所定の間隔をおいた環状リブと該センター突起からの放射状リブとにより仕切られてなり、
また、前記各凹穴に打球の衝撃を緩衝するための振動吸収材が満たされていることを特徴とするゴルフクラブヘッド。
【請求項７】
ヘッド本体の打球する側のフェース部が開口してフェース板により被覆されてなる中空構造のクラブヘッドにおいて、
前記フェース板は、打球側のフロントプレートと中空部側のリアフレームとにより重ね合せて一体になっており、
前記リアフレームには、前記フロントプレート側に向かって肉厚が薄くなって窪んだ複数の凹穴が設けられ、すなわち、前記複数の凹穴は、前記リアフレームのセンター突起と、該センター突起からの放射状リブと、該センター突起から所定の間隔をおいた環状リブと、該環状リブからの放射状リブとにより仕切られてなり、
また、前記各凹穴に打球の衝撃を緩衝するための振動吸収材が満たされていることを特徴とするゴルフクラブヘッド。
【考案の詳細な説明】
【技術分野】
【０００１】
本考案は、ゴルフクラブヘッドに関し、特に打球時の振動、衝撃を吸収する効果が優れたゴルフクラブヘッドに関する。
【背景技術】
【０００２】
従来の金属製ウッドゴルフクラブヘッド１としては、図１０、１１に示すように、ヘッド本体１１の打球する側が開口１１１にされて、例えば溶接の方式でボールを打つためのフェース板１２により該開口１１１に被覆してなる中空構造のものである。この従来構造は、大幅に軽量化することができ、両手が受ける負荷が低減することができるが、打球時の振動を吸収するための構造がなく、フェース板１２に生ずる打球衝撃を直接ゴルファーの腕に伝えてしまい、ゴルファーの腕に運動傷害を来たし、ゴルフを楽しむことができなくなる。
【０００３】
振動吸収機能をそなえたクラブヘッドとしては、図１２に示すものがある（特許文献１）。このクラブヘッド２は、中空構造のヘッド本体２１の打球する側が開口２１１になっていて、、例えば溶接によりフェース板２２が該開口２１１に被覆し、ヘッド本体２１内にはフェース板２２側の底部に空洞２３内に所定の粘性を有する半流動性の液体２４が満たされてなった振動吸収手段が設けられている。液体２４の粘りによって、クラブヘッドに加わる振動を減衰させることができる。
【０００４】
しかしながら、このクラブヘッド２は、空洞２３内に満たされた液体の粘性によりフェース板２２に加わる衝撃を効果的に減衰することができるが、フェース板２２による衝撃が繰返し加わり、長期間使用につれて空洞２３が破損して液体２４が漏洩する恐れがある。また、この振動吸収手段は液体２４の注入や、底部での溶接など構成の複雑化による製造の手間がかかりコストアップを招く。更に、所定の粘り性をそなえた液体２４の慣性力によりゴルファーのスイングの安定性に影響を及ぼす不具合もある。
【特許文献１】特開２００４−２３６７７１号公報
【考案の開示】
【考案が解決しようとする課題】
【０００５】
本考案は、前記問題点に鑑みてなされたものであり、使用寿命が長く、振動吸収構造の製造手間を大幅に省くことができるとともに、直接フェース板に振動吸収構造が組み立てられてもフェース板全体の耐衝撃強度を損なうことはないゴルフクラブヘッドを提供することを目的とする。
【課題を解決するための手段】
【０００６】
前記目的を達成するために、本考案は、ヘッド本体の打球する側のフェース部が開口してフェース板により被覆されてなる中空構造のクラブヘッドにおいて、前記フェース板は、打球側のフロントフェースと該フロントフェースの背面であるリアフェースとを有し、前記リアフェースには、前記フロントフェース側に向かって肉厚が薄くなって窪んだ複数の凹穴が設けられ、すなわち、前記複数の凹穴は、前記リアフェースのセンター突起と該センター突起から所定の間隔をおいた環状リブと該センター突起からの放射状リブとにより仕切られてなり、また、前記各凹穴に打球の衝撃を緩衝するための振動吸収材が満たされていることを特徴とするゴルフクラブヘッドを提供する。
【０００７】
この構成では、前記リアフェースの環状リブとしての仕切りリブは、前記フェース部におけるスイートスポットになる部位に対応して設けられていることが好ましい。
【０００８】
また、前記リアフェースの放射状リブは、互いに直角及び斜めに交わった放射状をなす複数の仕切りリブとして形成されていることが好ましい。
【０００９】
この構成では、前記複数の凹穴は、前記センター突起と前記環状リブと前記放射状リブと、更に前記リアフェースの周縁に沿って延伸した周縁リムとにより仕切られてなり、前記放射状リブの各仕切りリブは、両端がそれぞれ前記周縁リムに連なるように形成されているようにしてもよい。
【００１０】
更に、本考案は、ヘッド本体の打球する側のフェース部が開口してフェース板により被覆されてなる中空構造のクラブヘッドにおいて、前記フェース板は、打球側のフロントプレートと中空部側のリアプレートとにより重ね合せて一体になっており、前記リアプレートには、前記フロントプレート側に向かって肉厚が薄くなって窪んだ複数の凹穴が貫通して設けられ、すなわち、前記複数の凹穴は、前記リアプレートのセンター突起と該センター突起から所定の間隔をおいた環状リブと該センター突起からの放射状リブとにより仕切られてなり、また、前記各凹穴に打球の衝撃を緩衝するための振動吸収材が満たされていることを特徴とするゴルフクラブヘッドをも提供する。
【００１１】
更に、本考案は、ヘッド本体の打球する側のフェース部が開口してフェース板により被覆されてなる中空構造のクラブヘッドにおいて、前記フェース板は、打球側のフロントプレートと中空部側のリアプレートとにより重ね合せて一体になっており、前記リアプレートには、前記フロントプレート側に向かって肉厚が薄くなって窪んだ複数の凹穴が設けられ、すなわち、前記複数の凹穴は、前記リアプレートのセンター突起と、該センター突起からの放射状リブと、該センター突起から所定の間隔をおいた環状リブと、該環状リブからの放射状リブとにより仕切られてなり、また、前記各凹穴に打球の衝撃を緩衝するための振動吸収材が満たされていることを特徴とするゴルフクラブヘッドをも提供する。
【考案の効果】
【００１２】
本考案のゴルフクラブヘッドによれば、液体の粘り性を用いず簡単な振動吸収構造により打球による振動を緩衝する機能を果すことができ、且つ従来例の振動吸収構造の破損による液体漏れもなくなり、使用寿命を延ばすことができる。
【００１３】
また、本考案のゴルフクラブヘッドでは、振動吸収手段としてフェース板における前記ヘッド本体の中空部側の面に設けられた穴に例えば熱可塑性ポリウレタン、シリコーンなどの振動吸収材を満たしている構成をするので、打球時の振動、衝撃を直接その構成をそなえた振動吸収手段により緩衝することができる。
【００１４】
また、振動、衝撃の緩衝効果とフェース板全体の耐衝撃強度とを両立させるよう、フェース板に所定の仕切りをおいて穴が設けられることができ、振動吸収構造の製造手間を大幅に低減することができる。
【００１５】
ほかに、振動吸収構造において振動吸収材として固体の緩衝材が用いられるので、簡単に装着されることができ、製造手間は少なくコストの低減にもつながる。
【考案を実施するための最良の形態】
【００１６】
以下、図面を参照しながら本考案の実施形態を説明する。
図１は、本考案にかかるゴルフクラブヘッドの第１の実施形態の分解斜視図である。図２は、図１に対応して示す縦断面図である。図示のように、このクラブヘッドは、ヘッド本体５の打球する側のフェース部５０が開口して例えば接着剤でフェース板６により被覆されてなる中空構造のウッド型のものである。
【００１７】
フェース板６は、炭素繊維から単一のプレートとして形成されてなったものであり、打球側のフロントフェース６１と該フロントフェース６１の背面であるリアフェース６２とを有する。
【００１８】
リアフェース６２には、フロントフェース６１側に向かって肉厚が薄くなって窪んだ複数の凹穴６２１が設けられている。複数の凹穴６２１は、リアフェース６２のセンター突起６２２と、該センター突起６２２から所定の間隔をおいてフェース部５０におけるスイートスポットになる部位に対応して設けられた環状リブ６２３と、リアフェース６２の周縁に沿って延伸した周縁リム６２５と、該センター突起６２２からの放射状リブ６２４とにより仕切られてなる。なお、放射状リブ６２４は、互いに直角に交わり、且つ両端がそれぞれ周縁リム６２５に連なった一対のリブ状を有する仕切りリブ６２４ａ、６２４ｂとして形成されている。
【００１９】
また、各凹穴６２１に打球の衝撃を緩衝するための振動吸収材６３が満たされている。振動吸収材６３として、振動吸収機能を果たすことができるなら、特に限定されないが、熱可塑性ポリウレタン（ＴＰＵ）、シリコーン、ゴム、軟質金属（アルミニウム、マグネシウム、銅、亜鉛、錫など）などによりつくられることができ、本実施形態ではシリコーンが用いられている。
【００２０】
前記環状リブ６２３は、フェース部５０におけるスイートスポットになる部位に対応して設けられたものを示しているが、該スイートスポットになる部位に対応する箇所を含め、更に周縁へ拡大して設けられることができる。
【００２１】
前記構成により、振動吸収材６３による振動、衝撃の緩衝効果とリアフェース６２の仕切りリブの補強によるクラブヘッド全体の耐衝撃強度増加とを両立させることができる。
【００２２】
図３は、第１の実施形態の変形例の分解斜視図である。本変形例の構造はほぼ第１の実施形態のと同じだが、その相違点は、リアフェース６２Ａの放射状リブ６２４Ａは、互いに直角に交わった一対のリブ状を有する仕切りリブ６２４ｃ、６２４ｄと、互いに斜めに交わって放射状をなす上、仕切りリブ６２４ｃ、６２４ｄより細い四つの仕切りリブ６２４ｅとして形成されており、各仕切りリブ６２４ｃ、６２４ｄ、６２４ｅは両端がそれぞれ周縁リム６２５Ａに連なっていることにある。
【００２３】
前記構成により、振動吸収材６３による振動、衝撃の緩衝効果とリアフェース６２Ａの仕切りリブの補強によるクラブヘッド全体の耐衝撃強度増加とを両立させることができる。
【００２４】
なお、リアプレート６２の放射状リブ６２４とリアプレート６２Ａの放射状リブ６２４Ａは前述の構成に限らず、打球時に実際に応力の生じる状態に応じて適当にそれらの間隔、幅、配置を決めればよい。
【００２５】
前記実施形態、変形例のクラブヘッドは、ウッド型のものに適用されたものを示しているが、これに限らず、図４、５に示すように、それぞれヘッド本体７の打球する側のフェース部７０が開口してフェース板６Ｂにより被覆されてなる中空構造のパター型のもの、及びヘッド本体８の打球する側のフェース部８０が開口してフェース板６Ｃにより被覆されてなる中空構造のアイアン型のものに適用されることもできる。
【００２６】
図６は、本考案にかかるゴルフクラブヘッドの第２の実施形態の分解斜視図である。図７は、図６に対応して示す部分縦断面図。図示のように、このクラブヘッドは、ヘッド本体５の打球する側のフェース部５０が開口して例えば接着剤でフェース板６Ｄにより被覆されてなる中空構造のウッド型のものである。
【００２７】
フェース板６Ｄは、いずれも炭素繊維からなった打球側のフロントプレート６４と中空部側のリアフレーム６５とにより接着剤で重ね合せて一体になっている。ここで、フロントプレート６４とリアフレーム６５とを一体にさせる方式は特に限定されないが、前記接着剤を利用する方式のほか、はんだつけ、螺接などの通常の結合方式を用いることができる。
【００２８】
リアフレーム６５には、フロントプレート６４側に向かって複数の貫通孔６５１が貫通して設けられている。複数の貫通孔６５１は、リアフレーム６５のセンター突起６５２と、該センター突起６５２から所定の間隔をおいてフェース部５０におけるスイートスポットになる部位に対応して設けられた環状リブ６５３と、リアフレーム６５の周縁に沿って延伸した周縁リム６５４と、該環状リブ６５３からの放射状リブ６５５とにより仕切られてなる。なお、放射状リブ６５５は、互いに直角に交わり、且つ両端がそれぞれ周縁リム６５４に連なった一対のリブ状を有する仕切りリブ６５５ａ、６５５ｂとして形成されている。
【００２９】
また、各貫通孔６５１に打球の衝撃を緩衝するための振動吸収材６３が満たされている。振動吸収材６３として、振動吸収機能を果たすことができるなら、特に限定されないが、熱可塑性ポリウレタン（ＴＰＵ）、シリコーン、ゴム、軟質金属（アルミニウム、マグネシウム、銅、亜鉛、錫など）などによりつくられることができ、本実施形態ではシリコーンが用いられている。
【００３０】
前記環状リブ６５３は、フェース部５０におけるスイートスポットになる部位に対応して設けられたものを示しているが、該スイートスポットになる部位に対応する箇所を含め、更に周縁へ拡大して設けられることができる。
【００３１】
前記構成により、前述実施形態、変形例と同様に、振動吸収材６３による振動、衝撃の緩衝効果とリアプレート６５の仕切りリブの補強によるクラブヘッド全体の耐衝撃強度増加とを両立させることができる。
【００３２】
図８は、第２の実施形態の変形例の分解斜視図である。本変形例の構造はほぼ第２の実施形態のと同じだが、その相違点は、リアフレーム６５Ｅの放射状リブ６５５Ｅは互いに直角に交わった一対のリブ状を有する仕切りリブ６５５ｃ、６５５ｄと、互いに斜めに交わって放射状をなす上、仕切りリブ６５５ｃ、６５５ｄより細い四つの仕切りリブ６５５ｆとして形成されており、各仕切りリブ６５５ｃ、６５５ｄ、６５５ｆは両端がそれぞれ周縁リム６５４Ｅに連なっていることにある。
【００３３】
前記構成により、振動吸収材６３による振動、衝撃の緩衝効果とリアプレート６５Ｅの仕切りリブの補強によるクラブヘッド全体の耐衝撃強度増加とを両立させることができる。
【００３４】
なお、リアプレート６５の放射状リブ６５５とリアフレーム６５Ｅの放射状リブ６５５Ｅは前述の構成に限らず、打球時に実際に応力の生じる状態に応じて適当にそれらの間隔、幅、配置を決めればよい。
【００３５】
図９は、本考案にかかるゴルフクラブヘッドの第３の実施形態の分解斜視図である。図示のように、このクラブヘッドは、ヘッド本体５の打球する側のフェース部５０が開口して例えば接着剤でフェース板６Ｆにより被覆されてなる中空構造のウッド型のものである。
【００３６】
フェース板６Ｆは、いずれも炭素繊維からなった打球側のフロントプレート６６と大きさがフロントプレート６６より小さい中空部側のリアプレート６７とにより接着剤で重ね合せて一体になっている。ここで、フロントプレート６６とリアプレート６７とを一体にさせる方式は特に限定されないが、前記接着剤を利用する方式のほか、はんだつけ、螺接などの通常の結合方式を用いることができる。
【００３７】
リアプレート６７には、フロントプレート６６側に向かって肉厚が薄くなって窪んだ複数の凹穴６７１が設けられている。複数の凹穴６７１は、リアプレート６７のセンター突起６７２と、該センター突起６７２からの第１の放射状リブ６７３と、該センター突起６７２から所定の間隔をおいた環状リブ６７４と、リアプレート６７の周縁に沿って延伸した周縁リム６７５と、該環状リブ６７４からの第２の放射状リブ６７６とにより仕切られてなる。なお、第１の放射状リブ６７３は互いに直角に交わり、且つ両端がそれぞれ周縁リム６７５に連なった一対のリブ状を有する仕切りリブ６７３ａ、６７３ｂとして形成されており、第２の放射状リブ６７６はそれぞれ環状リブ６７４から周縁リム６７５に連なるように放射状をなす上、仕切りリブ６７３ａ、６７３ｂより細い八つの仕切りリブ６７６ａとして形成されている。
【００３８】
また、各凹穴６７１に打球の衝撃を緩衝するための振動吸収材６３が満たされている。振動吸収材６３として、振動吸収機能を果たすことができるなら、特に限定されないが、熱可塑性ポリウレタン（ＴＰＵ）、シリコーン、ゴム、軟質金属（アルミニウム、マグネシウム、銅、亜鉛、錫など）などによりつくられることができ、本実施形態ではシリコーンが用いられている。
【００３９】
前記環状リブ６７４は、フェース部５０におけるスイートスポットになる部位に対応して設けられたものを示しているが、該スイートスポットになる部位に対応する箇所を含め、更に周縁へ拡大して設けられることもできる。
【００４０】
前記構成により、振動吸収材６３による振動、衝撃の緩衝効果とリアプレート６７の仕切りリブの補強によるクラブヘッド全体の耐衝撃強度増加とを両立させることができる。
【００４１】
なお、リアプレート６７の放射状リブ６７６は前述の構成に限らず、打球時に実際に応力の生じる状態に応じて適当にそれらの間隔、幅、配置を決めればよい。
【００４２】
以上、本考案の好適な実施形態について説明したが、本考案は前記実施形態に限定して狭義に解釈されるものではなく、即ち本考案の精神の範囲内において種々の変形や変更が可能である。
【産業上の利用可能性】
【００４３】
以上説明したように、本考案のゴルフクラブヘッドによれば、使用寿命が長く、振動吸収構造の製造手間を大幅に省き、コストを低減させることができるとともに、直接フェース板に振動吸収構造が組み立てられてもフェース板全体の耐衝撃強度を損なうことはなく、振動、衝撃の緩衝効果とクラブヘッド自体の強度とを両立させることができる。
【図面の簡単な説明】
【００４４】
【図１】本考案にかかるゴルフクラブヘッドの第１の実施形態の分解斜視図。
【図２】図１に対応して示す縦断面図。
【図３】第１の実施形態の変形例の分解斜視図。
【図４】本考案にかかるゴルフクラブヘッドがパター型に適用された例を示す分解斜視図。
【図５】本考案にかかるゴルフクラブヘッドがアイアン型に適用された例を示す分解斜視図。
【図６】本考案にかかるゴルフクラブヘッドの第２の実施形態の分解斜視図。
【図７】図６に対応して示す部分縦断面図。
【図８】第２の実施形態の変形例の分解斜視図。
【図９】本考案にかかるゴルフクラブヘッドの第３の実施形態の分解斜視図。
【図１０】従来ゴルフクラブヘッドの一例の分解斜視図。
【図１１】図１０に対応して示す縦断面図。
【図１２】従来ゴルフクラブヘッドの他の例の縦断面図。
【符号の説明】
【００４５】
５、７、８  ヘッド本体
５０、７０、８０  フェース部
６、６Ａ、６Ｂ、６Ｃ、６Ｄ、６Ｅ、６Ｆ  フェース板
６１、６１Ａ  フロントフェース
６２、６２Ａ  リアフェース
６２１、６２１Ａ、６７１  凹穴
６２２、６５２、６５２Ｅ、６７２  センター突起
６２３、６５３、６５３Ｅ、６７４  環状リブ
６２４、６２４Ａ、６５５、６５５Ｅ、６７３、６７６  放射状リブ
６２４ａ、６２４ｂ、６２４ｃ、６２４ｄ、６２４ｅ、６５５ａ、６５５ｂ、
６５５ｃ、６５５ｄ、６５５ｆ、６７３ａ、６７３ｂ、６７６ａ  （放射状リブの）仕切りリブ
６２５、６２５Ａ、６５４、６５４Ｅ、６７５  周縁リム
６３  振動吸収材
６４、６４Ｅ、６６  フロントプレート
６５、６５Ｅ、６７  リアプレート
６５１、６５１Ｅ  貫通孔
【図１】
0003126137.tif 000003
【図２】
0003126137.tif 000004
【図３】
0003126137.tif 000005
【図４】
0003126137.tif 000006
【図５】
0003126137.tif 000007
【図６】
0003126137.tif 000008
【図７】
0003126137.tif 000009
【図８】
0003126137.tif 000010
【図９】
0003126137.tif 000011
【図１０】
0003126137.tif 000012
【図１１】
0003126137.tif 000013
【図１２】
0003126137.tif 000014